(57)【特許請求の範囲】
【請求項１】
紡錘形状の底板の両端縁に二枚の側面板（側面板と第２側面板）が立設された横断面が紡錘形状の収納保持部と、
該収納保持部の少なくとも片方の側面板の上端縁に横方向の折り曲げ線を介して連設された、先端近傍から横方向の折り曲げ線にまで達する切り込み線が穿設された支持板、
とから成ることを特徴とするスティック状食品用紙製ホルダー。
【請求項２】
前記支持板は、前記側面板より長いことを特徴とする、請求項１記載のスティック状食品用紙製ホルダー。
【請求項３】
前記収納保持部は、側面板、第２側面板、接着片がそれぞれ折り曲げ線を介して横方向に順次連設され、側面板と第２側面板の下方には、それぞれ中央に向けて凹んだ円弧状の折り曲げ線を介して紡錘形状の底板が連設され、接着片の下端縁は、前記凹んだ円弧状の折り曲げ線と略同形状に形成され、第２側面板を山折りして側面板に折り重ねると共に、接着片を山折りして接着片の裏面と側面板の表面とを接着剤を介して接着させ、側面板と第２側面板の下方に設けた各紡錘形状の底板を円弧状の折り曲げ線に沿って順次山折りして形成されたことを特徴とする、請求項１又は２記載のスティック状食品用紙製ホルダー。
【請求項４】
前記第２側面板の上方に折り曲げ線を介して前記支持板と略同形状の第２支持板が形成されていることを特徴とする、請求項１、２又は３記載のスティック状食品用紙製ホルダー。
【請求項５】
前記側面板の下方に形成された紡錘形状の底板と、前記第２側面板の下方に形成された紡錘形状の底板とは、大きさを違えて形成されていることを特徴とする、請求項１、２、３又は４記載のスティック状食品用紙製ホルダー。
【請求項６】
紡錘形状の底板の両端縁にそれぞれ中央に向けて膨らんだ円弧状の折り曲げ線を介して側面板が連設され、該それぞれの側面板の上端縁には横方向の折り曲げ線を介して先端近傍から横方向の折り曲げ線に達する縦方向の切り込み線が略中央に穿設された側面板より長い支持板が連設され、前記側面板のうち片方の側面板の底板や支持板が連設していない相対向する二辺にはそれぞれ接着片が連設され、二つの側面板と二つの接着片をそれぞれ山折りし、接着片と接着片が連設されていない方の側面板の裏面とを接着剤を介して接着して収納保持部を形成させたことを特徴とする、請求項１記載のスティック状食品用紙製ホルダー。
【請求項７】
前記二つの側面板の略中央に、上方より下方に向けて前記支持板に穿設された切り込み線と同一直線の延長線上に折り曲げ線を形成させたことを特徴とする、請求項１又は６記載のスティック状食品用紙製ホルダー。
【請求項８】
前記二つの側面板は、下辺より上辺が長く形成されていることを特徴とする、請求項１、６又は７記載のスティック状食品用紙製ホルダー。
【請求項９】
長方形の底板の相対する長い辺の端縁にそれぞれに横方向の折り曲げ線を介して側面板と該それぞれ側面板の上端縁には横方向の折り曲げ線に達する縦方向の切り込み線が略中央に穿設された前記側面板より長い支持板がそれぞれ連設され、前記底板の各四辺の中央から隣り合った各辺の中央に向けて四本の斜め谷折り線が形成され、底板や支持板が連設していない前記側面板の二辺にはそれぞれ接着片が連設され、二つの側面板と二つの接着片をそれぞれ山折りし、前記底板に形成された縦山折り線を山折りし、四本の斜め谷折り線を谷折りすると共に、接着片と接着片が連設されていない方の側面板の裏面とを接着剤を介して接着させて収納保持部を形成させたことを特徴とする、スティック状食品用紙製ホルダー。
【請求項１０】
前記側面板に支持板に穿設された切り込み線と底板に形成された縦山折り線を結ぶ縦方向の折り曲げ線が形成されていることを特徴とする、請求項９記載のスティック状食品用紙製ホルダー。
【請求項１１】
前記収納保持部の側面板に横方向の折り曲げ線を介して連設される支持板は、両幅が側面板より短く形成されていることを特徴とする、請求項９又は１０記載のスティック状食品用紙製ホルダー。
【発明の詳細な説明】
【０００１】
【発明の属する技術分野】
本発明は、春巻き、ホットドック等のスティック状の食品を手軽に持ち歩きながら食するための紙製ホルダーに関し、特には、使用途中でゴミが発生せず、扱いが簡単で、断熱効果が高く、かつ、使用中に水平面に置くことが可能なスティック状食品用紙製ホルダーに関する。
【０００２】
【従来の技術】
従来、スティック状の食品を持ち歩きながら食するための紙製ホルダーとして、図１２に示すような形状のものが存在していた。
この紙製ホルダーは、１枚の板紙を折り曲げ、端部を貼着するなどして容器状に組み立て、収納部（５１）と背の高い背面板（５２）を有する紙製ホルダー（５０）としたもので、ホルダーの紙自体を剥いで使用するため使用途中でゴミが出てしまう、組み立てた容器状のホルダーの収納部（５１）にスティック状の食品を入れるため、食品を手で保持することがなく歩行中などに食品がホルダーから飛び出してしまうことがある、手からホルダーが落ちてしまうこともある、使用中に水平面に安定して置くことができない、耐熱性に配慮されていない、等の問題があった。
【０００３】
【発明が解決しようとする課題】
本発明は、スティック状の食品を持ち歩きながら食するための紙製ホルダーに関する以上のような問題に鑑みてなされたもので、食する際、ホルダーの一部を剥がす必要がなく、食品がホルダーから飛び出しにくく、かつ、自立性があり、熱いスティック状食品にも冷たいスティック状食品にも断熱性が考慮され、扱いが簡単な紙製ホルダーを提供することを目的とする。
【０００４】
【課題を解決するための手段】
本発明の請求項１の発明は、紡錘形状の底板の両端縁に二枚の側面板（側面板と第２側面板）が立設された横断面が紡錘形状の収納保持部と、該収納保持部の少なくとも片方の側面板の上端縁に横方向の折り曲げ線を介して連設された、先端近傍から横方向の折り曲げ線にまで達する切り込み線が穿設された支持板、とから成ることを特徴とするスティック状食品用紙製ホルダーである。
【０００５】
このように請求項１記載の発明によれば、側面板と支持板の間に介在させた横方向の折り曲げ線と、支持板の中央に縦方向に穿設した切り込み線によって、支持板を外方向に折り返すと支持板は外側に撓んだ状態を保持する。そのため、支持板を切り取らなくてもスティック状食品を食する際、支持板が邪魔になることがない。
また、支持板を腕などに持たせることにより、使用時に片手でホルダーを保持することができる。
【０００６】
また、請求項２の発明は、請求項１の発明において、前記支持板は、前記側面板より長いことを特徴とする、スティック状食品用紙製ホルダーである。
【０００７】
このように請求項２記載の発明によれば、支持板が外側に撓んだ状態では、側面板と支持板が支点となって紙製ホルダーを水平面に置くことができる。
【０００８】
また、請求項３の発明は、請求項１又は２の発明において、前記収納保持部は、側面板、第２側面板、接着片がそれぞれ折り曲げ線を介して横方向に順次連設され、側面板と第２側面板の下方には、それぞれ中央に向けて凹んだ円弧状の折り曲げ線を介して紡錘形状の底板が連設され、接着片の下端縁は、前記凹んだ円弧状の折り曲げ線と略同形状に形成され、第２側面板を山折りして側面板に折り重ねると共に、接着片を山折りして接着片の裏面と側面板の表面とを接着剤を介して接着させ、側面板と第２側面板の下方に設けた各紡錘形状の底板を円弧状の折り曲げ線に沿って順次山折りして形成されたことを特徴とする、スティック状食品用紙製ホルダーである。
【０００９】
このように請求項３の発明によれば、側面板と第２側面板の下方に設けた２つの紡錘形状の底板を円弧状の折り曲げ線によって順次山折りすることによって生じた横断面が紡錘形状の空間の中央部分にスティック状食品をはさむので、食品がホルダーから外れにくい。
ホルダーと支持板の間に手を入れて持つ形になるので、うっかり手を緩めてもスティック状食品が落ちないし、握力の弱い子供や老齢者にも配慮された構造である。
【００１０】
さらに、紡錘形状空間の両端部分をつかんでホルダーを手でつかむので、例えば、熱い食品や冷たい食品をホルダーに入れても紡錘形状空間が断熱層になって断熱性に配慮した構造の紙製ホルダーである。
支持板の上から持つことにより、さらなる断熱効果を得ることができる。
【００１１】
また、請求項４の発明は、請求項１、２又は３の発明において、前記第２側面板の上方に折り曲げ線を介して前記支持板と略同形状の第２支持板が形成されていることを特徴とする、スティック状食品用紙製ホルダーである。
【００１２】
このように請求項４の発明によれば、第２側面板の上方にも折り曲げ線を介して支持板と略同形状の第２支持板を形成したので、スティック状食品の全体を保護するようにして収納することができる。
また、支持板を外側に折り返してスティック状食品を露出させる状態にした際、左右両方の支持板と第２支持板をたわませるので、スティック状食品が収納されたホルダーを安定した状態で水平面に置くことができる。
【００１３】
また、請求項５の発明は、請求項１、２、３又は４の発明において、前記側面板の下方に形成された紡錘形状の底板と、前記第２側面板の下方に形成された紡錘形状の底板とは、大きさを違えて形成されていることを特徴とする、スティック状食品用紙製ホルダーである。
【００１４】
このように請求項５の発明によれば、側面板の下方に形成された紡錘形状の底板と、第２側面板の下方に形成された紡錘形状の底板とは、大きさを違えて形成されているので、２つの紡錘形状の底板を折り曲げてホルダーを形成させた際、底板部分が無理なく成形でき、外観が綺麗なホルダーに仕上がる。
【００１５】
また、請求項６の発明によれば、請求項１の発明において、紡錘形状の底板の両端縁にそれぞれ中央に向けて膨らんだ円弧状の折り曲げ線を介して側面板が連設され、該それぞれの側面板の上端縁には横方向の折り曲げ線を介して先端近傍から横方向の折り曲げ線に達する縦方向の切り込み線が略中央に穿設された側面板より長い支持板が連設され、前記側面板のうち片方の側面板の底板や支持板が連設していない相対向する二辺にはそれぞれ接着片が連設され、二つの側面板と二つの接着片をそれぞれ山折りし、接着片と接着片が連設されていない方の側面板の裏面とを接着剤を介して接着して収納保持部を形成させたことを特徴とする、スティック状食品用紙製ホルダーである。
【００１６】
このように請求項６の発明によれば、二つの側面板と二つの接着片をそれぞれ山折りし、接着片と接着片が連設されていない方の側面板の裏面とを接着剤を介して接着して横断面が紡錘形状の収納保持部を形成させているので、収納保持部の中央部分にスティック状食品をはさむことにより、食品がホルダーから外れにくい。
【００１７】
ホルダーと支持板の間に手を入れて持つ形になるので、うっかり手を緩めてもスティック状食品が落ちないし、握力の弱い子供や老齢者にも配慮された構造である。
【００１８】
さらに、紡錘形状空間の両端部分をつかんでホルダーを手でつかむので、例えば、熱い食品や冷たい食品をホルダーに入れても紡錘形状空間が断熱層になって断熱性に配慮した構造の紙製ホルダーである。
支持板の上から持つことにより、さらなる断熱効果を得ることができる。
【００１９】
また、請求項７の発明は、請求項１又は６の発明において、前記二つの側面板の略中央に、上方より下方に向けて前記支持板に穿設された切り込み線と同一直線の延長線上に折り曲げ線を形成させたことを特徴とする、スティック状食品用紙製ホルダーである。
【００２０】
このように請求項７の発明によれば、二つの側面板の略中央に、上方より下方に向けて前記支持板に穿設された切り込み線と同一直線の延長線上に折り曲げ線を形成させたので、収納保持部の開口がより容易になる。
【００２１】
また、請求項８の発明は、請求項１、６又は７の発明において、前記二つの側面板は、下辺より上辺が長く形成されていることを特徴とする、スティック状食品用紙製ホルダーである。
【００２２】
このように請求項８の発明によれば、二つの側面板は、下辺より上辺が長く形成されているので、収納保持部の開口面が底面より広くなり、収納するスティック状食品を容易に収納保持部に収納することができる。
【００２３】
また、請求項９の発明は、長方形の底板の相対する長い辺の端縁にそれぞれに横方向の折り曲げ線を介して側面板と該それぞれ側面板の上端縁には横方向の折り曲げ線に達する縦方向の切り込み線が略中央に穿設された前記側面板より長い支持板がそれぞれ連設され、前記底板の各四辺の中央から隣り合った各辺の中央に向けて四本の斜め谷折り線が形成され、底板や支持板が連設していない前記側面板の二辺にはそれぞれ接着片が連設され、二つの側面板と二つの接着片をそれぞれ山折りし、前記底板に形成された縦山折り線を山折りし、四本の斜め谷折り線を谷折りすると共に、接着片と接着片が連設されていない方の側面板の裏面とを接着剤を介して接着させて収納保持部を形成させたことを特徴とするスティック状食品用紙製ホルダーである。
【００２４】
このように請求項９の発明によれば、長方形の底板の相対向する長い辺の端縁にそれぞれ横方向の折り曲げ線を介して側面板と、先端近傍から横方向の折り曲げ線にまで達する縦方向の切り込み線が略中央に穿設された側面板より長い支持板が、それぞれ連設され、前記底板の各四辺の中央から隣り合った各辺の中央に向けて四本の斜め谷折り線が形成され、二本の長い辺の中央同士を結ぶ縦山折り線が形成され、二つの側面板と二つの接着片をそれぞれ山折りし、前記底板に形成された縦山折り線を山折りし、四本の斜め谷折り線を谷折りすると共に、接着片と接着片が連設されていない方の側面板の裏面とを接着剤を介して接着させて収納保持部を形成させているので、スティック状食品を収納保持部に収納すると底板がより広がり安定してホルダーを自立させることができる。
【００２５】
また、請求項１０の発明は、請求項９の発明において、前記側面板に支持板に穿設された切り込み線と底板に形成された縦山折り線を結ぶ縦方向の折り曲げ線が形成されていることを特徴とする、スティック状食品用紙製ホルダーである。
【００２６】
このように請求項１０の発明によれば、側面板に支持板に穿設された切り込み線と底板に形成された縦山折り線を結ぶ縦方向の折り曲げ線が形成されているので、収納保持部の開口がより容易になる。
【００２７】
また、請求項１１の発明は、請求項９又は１０の発明において、前記収納保持部の側面板に横方向の折り曲げ線を介して連設される支持板は、両幅が側面板より短く形成されていることを特徴とする、スティック状食品用紙製ホルダーである。
【００２８】
このように請求項１１の発明によれば、収納保持部の側面板に横方向の折り曲げ線を介して連設される支持板が、両幅が側面板より短く形成されているので、支持板を横方向の折り曲げ線に沿って容易に折り返すことができる。
【００２９】
【発明の実施の形態】
本発明のスティック状食品用ホルダーを一実施形態に基づいて以下に詳細に説明する。
本発明のスティック状食品用ホルダーは、例えば図１、図２に示すように、側面板（１１）、第２側面板（１２）、接着片（１３）がそれぞれ折り曲げ線を介して横方向に順次連設されている。第２側面板（１２）と接着片（１３）の間に介在させる折り曲げ線は、紙厚を考慮して、図１に示すような二重折り曲げ線とすると、ホルダーに組み立てた際、綺麗に仕上がる。
【００３０】
そして、側面板（１１）の上方には、横方向の折り曲げ線（ａ）を介して先端近傍から横方向の折り曲げ線に達する縦方向の切り込み線（ｂ）が略中央に穿設された、支持板（１４）が連設されている。
【００３１】
なお、支持板（１４）は、側面板（１１）ではなく、第２側面板（１２）の上方に設けても良い。また、接着片（１３）は図１のように側面板全面を覆う形状ではなく、側面板の一部を覆う形状であっても構わない。側面板の全体を覆うことにより、後記する支持板を折り返す際に、横方向の折り曲げ線部分に力がかかって側面板が破け易くなるのを補強することができる。
【００３２】
支持板（１４）を側面板（１１）より長く設定した場合、支持板（１４）を外側に撓ませることにより側面板（１１）と支持板（１４）が支点となって紙製ホルダーを水平面に置くことができる。
【００３３】
側面板（１１）と第２側面板（１２）の下方には、それぞれ中央に向けて凹んだ円弧状の折り曲げ線を介して紡錘形状の底板（１５、１６）が連設されている。
接着片（１３）の下端縁は、前記の凹んだ円弧状の折り曲げ線と略同形状に形成されている。
【００３４】
このような形状のブランクを、まず、第２側面板（１２）を山折りして側面板（１１）に折り重ねると共に、接着片（１３）を山折りして接着片（１３）の裏面と側面板（１１）の表面とを、例えば接着剤を介して接着させる。
ついで、側面板（１１）と第２側面板（１２）の下方に設けた各紡錘形状の底板（１５、１６）を円弧状の折り曲げ線に沿って順次山折りして、側面板と第２側面板の間に横切断面が紡錘形状の空間を形成させた収納保持部（２０）を作製し、本発明のスティック状食品用紙製ホルダー（１０）が出来上がる。
【００３５】
使用に際しては、スティック状食品（４０）を側面板と第２側面板の間に形成させた横切断面が紡錘形状の空間にはさみ込んだ紙製ホルダー（１０）をホルダーの左右の端部（３１、３２）をつかむように持つことで熱いものでも冷たいものでも容易に保持できる。
【００３６】
スティック状食品（４０）は、紙製ホルダー（１０）の中央の撓んだ部分（３３、３４）で保持されているので、例えば、歩行中であっても食品がホルダーから抜け落ちる等のことがない。
【００３７】
支持板（１４）を外側に折り曲げることにより、はさんだスティック状食品（４０）が露出して食べ易くなる。支持板（１４）は外側に撓んだ状態を維持しているので、食べるにつれて支持板を破り捨てるなどの必要はない（図２（ａ）、（ｂ）および図６参照）。
【００３８】
図３、図４は、本発明のスティック状食品用紙製ホルダーの別の実施形態を示す説明図である。
先のホルダーと同様に、側面板（１１）、第２側面板（１２）、接着片（１３）がそれぞれ折り曲げ線を介して横方向に順次連設されている。第２側面板（１２）と接着片（１３）の間に介在させる折り曲げ線は、紙厚を考慮して、図３に示すような二重折り曲げ線とすると、ホルダーに組み立てた際、綺麗に仕上がる。
そして、側面板（１１）の上方には、横方向の折り曲げ線（ａ）を介して先端近傍から横方向の折り曲げ線に達する縦方向の切り込み線（ｂ）が略中央に穿設された、側面板より長い支持板（１４）が連設されている。
【００３９】
また、第２側面板（１２）の上方にも、横方向の折り曲げ線（ａ）を介して先端近傍から横方向の折り曲げ線に達する縦方向の切り込み線（ｂ）が略中央に穿設された、側面板より長い第２支持板（１７）が連設されている。支持板と第２支持板は同じ大きさにしておくと見栄えが良い。使い勝手により大きさを違えても構わない。
また、接着片（１３）は図３のように側面板全面を覆う形状ではなく、側面板の一部を覆う形状であっても構わないことは前述の通りである。
【００４０】
側面板（１１）と第２側面板（１２）の下方には、それぞれ中央に向けて凹んだ円弧状の折り曲げ線を介して紡錘形状の底板（１５、１６）が連設されている。
接着片（１３）の下端縁は、前記の凹んだ円弧状の折り曲げ線と略同形状に形成されている。
【００４１】
このような形状のブランクを、まず、第２側面板（１２）を山折りして側面板（１１）に折り重ねると共に、接着片（１３）を山折りして接着片（１３）の裏面と側面板（１１）の表面とを、例えば接着剤を介して接着させる。
ついで、側面板（１１）と第２側面板（１２）の下方に設けた各紡錘形状の底板（１５、１６）を円弧状の折り曲げ線に沿って順次山折りして、側面板と第２側面板の間に横切断面が紡錘形状の空間を形成させて、収納保持部（２０）を作製し、本発明のスティック状食品用紙製ホルダー（１０）が出来上がる。
【００４２】
使用に際しては、スティック状食品（４０）を側面板と第２側面板の間に形成させた横切断面が紡錘形状の空間にはさみ込んだ紙製ホルダー（１０）をホルダーの左右の端部（３１、３２）をつかむように持つことで熱いものでも冷たいものでも容易に保持できる。
スティック状食品（４０）は、紙製ホルダー（１０）の中央の撓んだ部分（３３、３４）で保持されているので、例えば、歩行中であっても食品がホルダーから抜け落ちる等のことがないことは上述の通りである。
【００４３】
支持板（１４）と第２支持板（１７）を外側に折り曲げることにより、はさんだスティック状食品（４０）が露出して食べ易くなる。支持板（１４）と第２支持板（１７）は外側に撓んだ状態を維持しているので、食べるにつれて支持板を破り捨てるなどの必要はない。
紙製ホルダーを握った手の外側に折り返した支持板（１４）や第２支持板（１７）がかかるので、その支持板（１４）や第２支持板（１７）が支えとなって、少ない握力でも紙製ホルダーが手から落ちることがない（図４（ａ）、（ｂ）および図６参照）。
【００４４】
支持板や第２支持板を外側に折り返した状態のホルダーは、図５に示すように、支持板や第２支持板の先端が支点になって、水平面に安定して置くことができる。従って、食べかけの状態で紙製ホルダーを置いて他の動作をすることもできる。
【００４５】
図７、図８は、本発明のスティック状食品用紙製ホルダーのさらに別の実施形態を示す説明図である。
紡錘形状の底板（１５）の両端縁にそれぞれ中央に向けて膨らんだ円弧状の折り曲げ線を介して側面板（１１）が連設されている。
そして、それぞれの側面板（１１、１１）の上端縁には横方向の折り曲げ線（ａ）を介して先端近傍から横方向の折り曲げ線に達する縦方向の切り込み線（ｂ）が略中央に穿設された側面板より長い支持板（１４、１４）が連設されている。
【００４６】
底板（１５）の両端を結ぶ底板（１５）を二分するような横方向の底折り曲げ線（ｇ）を設けておくと、ホルダーを折り畳むことが可能になり、成形後のホルダーの保管時や輸送時に有利である。
【００４７】
側面板（１１、１１）の底板（１５）や支持板（１４，１４）が連設していない方の相対向する二辺にはそれぞれ接着片（１８、１８）が連設されている。
【００４８】
二つの側面板（１１、１１）の略中央に、上方から下方に向けて支持板（１４）に穿設された切り込み線（ｂ）と同一直線の延長線上に縦方向の折り曲げ線（ｃ）を形成させても良い。
二つの側面板（１１、１１）に縦方向の折り曲げ線（ｃ）を設けることにより、内容物を挿入する開口部が大きく開くため、内容物が大きな物の場合、挿入し易くなる。
【００４９】
また、二つの側面板（１１、１１）の下辺より上辺を長く形成することにより、後記する収納保持部（２０）の開口面が底面より広くなってスティック状食品がより収納し易くなる。
【００５０】
そして、二つの側面板（１４、１４）と二つの接着片（１８、１８）をそれぞれ山折りし、接着片（１８）と接着片が連設されていない方の側面板（１４）の裏面とを接着剤を介して接着して収納保持部（２０）を形成させて、本発明のスティック状食品用紙製ホルダー（１０）が出来上がる。
【００５１】
使用に際しては、スティック状食品（４０）を二つの側面板（１１、１１）の間に形成させた横切断面が紡錘形状の空間にはさみ込んだ紙製ホルダー（１０）をホルダーの左右の端部（３１、３２）をつかむように持つことで熱いものでも冷たいものでも容易に保持できる。
【００５２】
スティック状食品（４０）は、紙製ホルダー（１０）の中央の撓んだ部分（３３、３４）で保持されているので、例えば、歩行中であっても食品がホルダーから抜け落ちる等のことがない。
【００５３】
支持板（１４）を外側に折り曲げることにより、はさんだスティック状食品（４０）が露出して食べ易くなる。支持板（１４）は外側に撓んだ状態を維持しているので、食べるにつれて支持板を破り捨てるなどの必要はない（図８（ａ）、（ｂ）、（ｃ）および図６参照）。
【００５４】
図９、図１０は、本発明のスティック状食品用紙製ホルダーのさらにまた別の実施形態を示す説明図である。
長方形の底板（２１）の相対向する長い辺の端縁にそれぞれ横方向の折り曲げ線（ａ）を介して側面板（１１、１１）と、先端近傍から横方向の折り曲げ線にまで達する縦方向の切り込み線（ｂ）が略中央に穿設された側面板より長い支持板（１４、１４）が、それぞれ連設されている。
【００５５】
底板（２１）の各四辺の中央から隣り合った各辺の中央に向けて四本の斜め谷折り線（ｄ、ｄ、ｄ、ｄ）が形成されている。
また、底板（２１）には二本の長い辺の中央同士を結ぶ縦山折り線（ｅ）と、二本の短い辺の中央同士を結ぶ底折り曲げ線（ｇ）が形成されている。
【００５６】
また、二つの側面板（１１、１１）の略中央に、支持板（１４）に穿設された切り込み線（ｂ）と底板（２１）に形成された縦山折り線（ｄ）を結ぶ縦方向の折り曲げ線（ｆ）を形成されることにより、開口部が大きく開くため、特に内容物が大きな物の場合、ホルダーに挿入し易くなる。
【００５７】
さらに、側面板（１１、１１）に横方向の折り曲げ線（ａ）を介して連設される支持板（１４、１４）の両幅を側面板より短く形成することにより、支持板（１４、１４）が適度に曲がるようになって上部に幅がでて曲げ易くなる。
【００５８】
そして、二つの側面板（１１、１１）と二つの接着片（１８、１８）をそれぞれ山折りし、底板に形成された縦山折り線（ｅ）を山折りし、四本の斜め谷折り線（ｄ、ｄ、ｄ、ｄ）を谷折りすると共に、接着片（１８）と接着片が連設されていない方の側面板（１１）の裏面とを接着剤を介して接着させて収納保持部（２０）を形成させて本発明のスティック状食品用紙製ホルダー（１０）が出来上がる。
【００５９】
使用に際しては、スティック状食品（４０）を二つの側面板（１１、１１）の間に形成させた横切断面が菱形状の空間にはさみ込んだ紙製ホルダー（１０）をホルダーの左右の端部（３１、３２）をつかむように持つことで熱いものでも冷たいものでも容易に保持できる。
スティック状食品（４０）は、紙製ホルダー（１０）の中央の撓んだ部分（３３、３４）で保持されているので、例えば、歩行中であっても食品がホルダーから抜け落ちる等のことがない。
【００６０】
支持板（１４）を外側に折り曲げることにより、はさんだスティック状食品（４０）が露出して食べ易くなる。支持板（１４）は外側に撓んだ状態を維持しているので、食べるにつれて支持板を破り捨てるなどの必要はない（図１０（ａ）、（ｂ）、（ｃ）および図１１参照）。
【００６１】
また、底板（２１) には底折り曲げ線（ｇ）が形成されているので、成形後のホルダーを折り畳むことができ、保管時や輸送時に有利である。
【００６２】
【発明の効果】
上記のように、本発明のスティック状食品用紙製ホルダーを使用することにより、次のような効果がある。
すなわち、食品を食べ易くする際、紙製ホルダーの支持板や第２支持板を折り返すだけなのでゴミがでない。
食品を保持する部分は二枚の側面板の間に挟む構造のため、食品は紙製ホルダーにしっかりと保持される。
紙製ホルダーの下部を握った手の外側に支持板を折り曲げるので、折り曲げた支持板が手に被さって子供、老齢者など握力の少ない人でも紙製ホルダーが手から落ちにくい。
支持板を折り返すと支持板の先端が支点となって自立するので、陳列することができる。
食品が触れる個所と手で支持する個所が異なるため、耐熱性に配慮した紙製ホルダーである。
【図面の簡単な説明】
【図１】本発明のスティック状食品用紙製ホルダーのブランクの一実施例を示す、展開説明図である。
【図２】図１のブランクを紙製ホルダーに組み立てスティック状食品をはさみ、（ａ）は紙製ホルダーを手で持った状態を示す説明図であり、（ｂ）は支持板を折り返しスティック食品を露出させた状態を示す説明図である。
【図３】本発明のスティック状食品用紙製ホルダーのブランクの別の実施例を示す、展開説明図である。
【図４】図３のブランクを紙製ホルダーに組み立てスティック状食品をはさみ、（ａ）は紙製ホルダーを手で持った状態を示す説明図であり、（ｂ）は支持板と第２支持板を折り返しスティック食品を露出させた状態を示す説明図である。
【図５】本発明のスティック状食品用紙製ホルダーを使用中に水平面に置いた状態を示す、説明図である。
【図６】本発明のスティック状食品用紙製ホルダーに食品を挟んだ状態を模式的に示す、断面説明図である。
【図７】本発明のスティック状食品用紙製ホルダーのブランクのさらに別の実施例を示す、展開説明図である。
【図８】図７のブランクを紙製ホルダーに組み立てスティック状食品を、（ａ）は挟んだ状態を示す説明図であり、（ｂ）は支持板を折り返しスティック食品を露出させ、自立させた状態を示す説明図であり、（ｃ）は支持板を折り返し、紙製ホルダーを手で持った状態を示す説明図である。
【図９】本発明のスティック状食品用紙製ホルダーのブランクのさらにまた別の実施例を示す、展開説明図である。
【図１０】図９のブランクを紙製ホルダーに組み立てスティック状食品を、（ａ）は挟んだ状態を示す説明図であり、（ｂ）は支持板を折り返しスティック食品を露出させ、自立させた状態を示す説明図であり、（ｃ）は支持板を折り返し、紙製ホルダーを手で持った状態を示す説明図である。
【図１１】図９のスティック状食品用紙製ホルダーに食品を挟んだ状態を模式的に示す、断面説明図である。
【図１２】従来のスティック状食品用紙製ホルダーの一例を示す説明図である。
【符号の説明】
１０‥‥紙製ホルダー
１１‥‥側面板
１２‥‥第２側面板
１３‥‥接着片
１４‥‥支持板
１５‥‥底板
１６‥‥底板
１７‥‥第２支持板
２０‥‥収納保持部
２１‥‥底板
３１‥‥端部
３２‥‥端部
３３‥‥中央の撓んだ部分
３４‥‥中央の撓んだ部分
４０‥‥スティック状食品
５０‥‥紙製ホルダー
５１‥‥収納部
５２‥‥背面板
ａ‥‥横方向の折り曲げ線
ｂ‥‥切り込み線
ｃ‥‥縦方向の折り曲げ線
ｄ‥‥斜め谷折り線
ｅ‥‥縦山折り線
ｆ‥‥縦方向の折り曲げ線
ｇ‥‥底折り曲げ線
【図１】
0004218326.tif 000002
【図２】
0004218326.tif 000003
【図３】
0004218326.tif 000004
【図４】
0004218326.tif 000005
【図５】
0004218326.tif 000006
【図６】
0004218326.tif 000007
【図７】
0004218326.tif 000008
【図８】
0004218326.tif 000009
【図９】
0004218326.tif 000010
【図１０】
0004218326.tif 000011
【図１１】
0004218326.tif 000012
【図１２】
0004218326.tif 000013